(57)【要約】【課題】比較的大形で、具の一部が外側に食み出していたり、ペーストや油で周面がべたついているテイクアウト食品を取出し易い状態で収納できるとともに、使用時に簡単に立体的に組立てることができ、使用後は、簡単に折り畳んで廃棄できる紙製容器を提供する。【解決手段】紙製容器１０は、折り畳んだ状態で形成され、上から手で押すだけで立体的に組立てることができ、しかも立体的に組立てた紙製容器１０は、上面と前面に壁面が無い開放状態であるため、ペーストや油で周面がべたついているテイクアウト食品を紙製容器１０の開放状態の上面と前面から取出し易くなっている。【選択図】  図３
2004262476.tif 000002
【特許請求の範囲】
【請求項１】
長手方向の一端に離隔させて第１，第２の舌片を延設したシートを折曲げて構成した紙製容器であって、
前記シートを前記第１，第２の舌片の内側端部の長手方向に沿う位置で底壁面部と２つの側壁面部に区分し、
前記２つの側壁面部により形成され四角横長形状の底壁の長辺に対向して立設される側壁と、
前記底壁面部により形成され前記底壁の１つの短辺を底辺とする二等辺三角形の第１後壁及びその斜辺で折り曲げられて前記第１後壁の裏面に位置する第２後壁と、
前記２つの側壁面部により形成され前記第２後壁の裏面に位置する第３後壁と、
前記第１，第２の舌片を接合して形成され前記第１乃至第３後壁及び底壁に垂直に形成されて外側に突出す取手とを備えたことを特徴とする紙製容器。
【発明の詳細な説明】
【０００１】
【発明の属する技術分野】
本発明は、ファーストフードショップなどにおけるフライドポテト、から揚げチキン、ホットドッグ、ハンバーガー等のテイクアウト食品の収納に適した紙製容器に関するものである。
【０００２】
【従来の技術】
ファーストフードショップなどにおけるフライドポテト、から揚げチキン等のテイクアウト食品は、出来たての高温状態がおいしく食べられるため、テイクアウト食品の種類に応じて、そのテイクアウト食品専用に作られた保温性の良い筒状の紙製容器やカップ状の紙製容器に収納されて店内で使用されている。このように店内での喫食用と持出し、持帰り用とを兼ねた、蓋一体型の紙カップ容器が知られている。（例えば特許文献１参照）
【０００３】
【特許文献１】
特開２００１−１３９０１６（段落［００１４］〜［００１６］、図１）
【０００４】
上記特許文献１（特開２００１−１３９０１６）に記載された蓋一体型の紙カップ容器は、容器本体の上端を、後方を高く前方を低く傾斜させて成形した紙カップ容器において、この容器本体の後方の凸円弧状の上部に、凸レンズ断面状の蓋板を、凹円弧状の折り目線で区画して設けたものである。
【０００５】
この蓋一体型の紙カップ容器においては、ファーストフード店などで、フライドポテトやフライドチキンやスパゲッティなどの調理食品を収容して、そのままの状態で店内で喫食することができる。また、蓋板を倒すだけで、簡単に凸レンズ断面状の蓋板が閉蓋して、カップ原紙製の容器本体の湾曲面の働きと凹円弧状の折り目線の働きとで、所定の位置にバネのように確実に停止して固定されるために、収容した調理食品がこぼれたり埃や異物などが侵入したりしない状態で、持帰りなどをすることができる。さらに、蓋板を起すだけで、簡単に凸レンズ断面状の蓋板が開蓋して、カップ原紙製の容器本体の湾曲面の働きで、元の位置に確実に停止して固定されるために、店内と同じそのままの状態で、屋外のベンチ、公園や家庭などで喫食することができる。
【０００６】
【発明が解決しようとする課題】
ところが、上記の紙カップ容器は、平面状のカップ原紙から紙カップ容器のブランクを作製し、カップ成形設備を活用して、紙カップ容器のブランクの、容器本体と底板との熱圧着部分をそれぞれ熱圧着して、立体形状に組立てているので、立体形状の紙カップ容器は多数個積み重ねた状態で箱詰めされて営業店舗に搬入される。そのため、紙製容器を搬入可能な状態にするための工数がかかり、コスト高となっている。また、営業店舗で紙カップ容器が使用された後も、利用者によって立体形状のままゴミ箱に廃棄されることが多く、ゴミ箱がすぐに紙カップ容器で一杯になってしまう。
【０００７】
しかも、ハンバーガーのように比較的大形で、具の一部が外側に食み出しているテイクアウト食品や、ホットドッグ、ソーセージのように比較的大形で、カラシやソースのようなペーストや油で周面がべたついているテイクアウト食品は、紙カップ容器から食み出してしまうために、紙袋に入れた状態で紙カップ容器に収納されて店内で持ち運びされているが、紙袋から取出すときに外側に食み出した具の一部が紙袋に付着してテイクアウト食品の体裁を悪くしたり、周面のペーストや油が手を汚したりするため改善が望まれていた。
【０００８】
本発明は、上記課題を解決するために提案されたもので、比較的大形で、具の一部が外側に食み出していたり、ペーストや油で周面がべたついているテイクアウト食品を取出し易い状態で収納できるとともに、使用時に簡単に立体的に組立てることができ、使用後は、簡単に折り畳んで廃棄できる紙製容器を提供することを目的とする。
【０００９】
【課題を解決するための手段】
上記課題を解決するために請求項１記載の発明は、長手方向の一端に離隔させて第１，第２の舌片を延設したシートを折曲げて構成した紙製容器であって、前記シートを前記第１，第２の舌片の内側端部の長手方向に沿う位置で底壁面部と２つの側壁面部に区分し、前記２つの側壁面部により形成され四角横長形状の底壁の長辺に対向して立設される側壁と、前記底壁面部により形成され前記底壁の１つの短辺を底辺とする二等辺三角形の第１後壁及びその斜辺で折り曲げられて前記第１後壁の裏面に位置する第２後壁と、前記２つの側壁面部により形成され前記第２後壁の裏面に位置する第３後壁と、前記第１，第２の舌片を接合して形成され前記第１乃至第３後壁及び底壁に垂直に形成されて外側に突出す取手とを備えたことを特徴とする紙製容器である。
【００１０】
【発明の実施の形態】
以下、本発明に係る第１の実施の形態を示す図面を参照して詳細に説明する。図１は本発明に係る紙製容器の展開図、図２（ａ）（ｂ）は紙製容器の組立て例を説明するための斜視図、図３は本発明に係る紙製容器の斜視図、図４は図３の紙製容器の一部切欠き側面図、図５は図３のＡ−Ａ線での断面図である。
【００１１】
図１乃至図５において、紙製シート１は四角横長形状であり、長手方向の一端に離隔させて第１，第２の舌片１１，１２が延設されている。紙製シート１は長手方向に沿う中心線２で二等分に山折りされ、さらに、第１，第２の舌片１１，１２の内側端部の位置での長手方向に沿う直線３，４で各谷折りされる。このときに紙製シート１には、二等分折りされた底壁面部１４ａ，１４ｂと２つの側壁面部１５，１６に区分される。
【００１２】
紙製シート１は、長手方向に沿う中心線２で二等分に山折りされると、第１，第２の舌片１１，１２は各裏面が合致される。そこで、第１，第２の舌片１１，１２の裏面同志を接着剤や紙綴り金具により接合する。こうして第１，第２の舌片１１，１２を一体化した部分で、取手１９が形成され、折り畳んだ状態で紙製容器１０が形成される。
【００１３】
次に、図２乃至図５を参照して折り畳んだ状態の紙製容器１０を、商品を収納できるように立体的に広げていく様子を説明する。図２（ａ）（ｂ）において、長手方向に沿う中心線２の山折り部分を上から手で押しながら中心線２で二等分折りされた底壁面部１４ａ，１４ｂを平面状態に戻していく。そして、四角横長形状の底壁２０の形成を行いながら底壁２０の短辺２０ａから底壁面部１４ａ，１４ｂを折り曲げて底壁２０の短辺２０ａを底辺とする二等辺三角形の第１後壁１７ａ，１７ｂを立設し、立設した二等辺三角形の各斜辺で折り曲げて二等辺三角形の第１後壁１７ａ，１７ｂの裏面に位置するように第２後壁１８ａ，１８ｂを立設する。そして、各側壁面部１５，１６を底壁２０の長辺２０ｂ，２０ｃに沿って側壁２１，２２を立設する。そして、長辺２０ｂ，２０ｃの各端部から先は各側壁面部１５，１６を短辺２０ａに沿うように折り曲げて短辺２０ａ側で第２後壁１８ａ，１８ｂの裏面に位置するように第３後壁２３，２４を立設し、図３乃至図５に示すように、紙製容器１０は第３後壁２３，２４の裏面から取手１９が外側に突出し、上面と前面に壁面が無い開放状態で立体的に組立てられる。
【００１４】
次に、図６，図７を参照して本発明に係る第２の実施の形態を説明する。図６は本発明に係る第２の実施の形態の紙製容器の展開図、図７は図６の紙製容器を側面から見た断面図であり、図１乃至図５と同符号は同じものを示している。第２の実施の形態の紙製シート１ａは、第１の実施の形態の紙製シート１における第１，第２の舌片１１，１２間の中央に第３の舌片１３を形成した点が異なるのみで、その他は第１の実施の形態の紙製シート１と全く同じである。
【００１５】
紙製シート１ａは長手方向に沿う中心線２で二等分に山折りされ、さらに、第１，第２の舌片１１，１２の内側端部の位置での長手方向に沿う直線３，４で各谷折りされる。この状態では、第３の舌片１３は長手方向に沿う中心線２で二等分に山折りされ、両端の第１，第２の舌片１１，１２は、各裏面が上半分だけが合致しているので、この上半分の裏面同志を接着剤や紙綴り金具により接合する。また、第１，第２の舌片１１，１２の各裏面の下半分は、二等分に山折りされた中央の第３の舌片１３の半分の裏面のそれぞれに合致しているので、第１，第２の舌片１１，１２の下半分の各裏面は、これらと合致している第３の舌片１３の半分の裏面のそれぞれに接着剤や紙綴り金具により接合する。この場合、第１，第２の舌片１１，１２を接合する際に間に挟まれている第３の舌片１３も纏めて一体に接合しても差し支えない。
【００１６】
こうして第１，第２，第３の舌片１１，１２，１３を接合して一体化した部分で、取手１９ａが形成され、折り畳んだ状態で紙製容器１０ａが形成される。折り畳んだ状態の紙製容器１０ａは広げていくと上面と前面に壁面が無い開放状態で立体的に組立てられるが、組立ての様子の説明は第１の実施の形態の紙製容器１０と同じであるので、その説明は省略する
【００１７】
次に、図８，図９を参照して本発明に係る第３の実施の形態を説明する。図８は本発明に係る第３の実施の形態の紙製容器の展開図、図９は図８の展開図を組み立てた紙製容器の斜視図である。第３の実施の形態の紙製シート８１は、第１の実施の形態の紙製シート１を長手方向に短く形成した四角横長形状である。そして、長手方向の一端には、第１，第２，第３の舌片８１，８２，８３が延設され、各舌片８１，８２，８３が略同じ幅で形成されている。紙製シート８１は長手方向に沿う中心線１０２で二等分に山折りされ、さらに、離隔して設けられた第１，第２の舌片８１，８２の内側端部の位置での長手方向に沿う直線１０３，１０４で各谷折りされる。このときに紙製シート８１には、二等分折りされた底壁面部８４ａ，８４ｂと２つの側壁面部８５，８６に区分される。
【００１８】
この紙製シート８１の展開図の構成は第１の実施の形態の紙製シート１の展開図の構成と略同様である。したがって、第３の実施の形態の紙製シート８１では、第１，第２の舌片８１，８２の各裏面が合致している上半分の裏面同志を接着剤や紙綴り金具により接合して取手８９を形成する。また、第１，第２の舌片８１，８２の下半分の各裏面は、第３の舌片８３の半分の裏面のそれぞれに接着剤や紙綴り金具により接合して、折り畳んだ状態で紙製容器８０が形成される。
【００１９】
この紙製容器８０の場合も、長手方向に沿う中心線１０２の山折り部分を上から手で押しながら中心線１０２で二等分折りされた底壁面部８４ａ，８４ｂを平面状態に戻していく。そして、四角横長形状の底壁１２０の形成を行いながら底壁１２０の短辺１２０ａから底壁面部８４ａ，８４ｂを折り曲げて底壁１２０の短辺１２０ａを底辺とする二等辺三角形の第１後壁１１７ａ，１１７ｂを立設し、立設した二等辺三角形の各斜辺で折り曲げて二等辺三角形の第１後壁１１７ａ，１１７ｂの裏面に位置するように第２後壁１１８ａ，１１８ｂを立設する。そして、各側壁面部８５，８６を底壁の長辺１２０ｂ，１２０ｃに沿って側壁１２１，１２２を立設する。そして、底壁１２０の長辺１２０ｂ，１２０ｃの各端部では、第１後壁１１７ａ，１１７ｂを形成する二等辺三角形の各斜辺の延長線に沿って各側壁面部８５，８６を折り曲げて底壁１２０の短辺１２０ａ側で第２後壁１１８ａ，１１８ｂの裏面に位置するように第３後壁１２３，１２４を立設する。この状態では、第３後壁１２３，１２４の裏面から取手８９が外側に突出して、紙製容器８０は上面と前面に壁面が無い開放状態で立体的に組立てられる。
【００２０】
このように本発明による紙製容器は、折り畳んだ状態で形成され、上から手で押すだけで立体的に組立てることができ、しかも立体的に組立てた紙製容器は、上面と前面に壁面が無い開放状態であるので、ファーストフードショップなどにおけるハンバーガー、ホットドッグ、ソーセージ等のようなペーストや油で周面がべたついているテイクアウト食品は紙製容器の開放状態の上面と前面から収納が容易であり、取出しも容易である。
【００２１】
【発明の効果】
以上説明したように本発明の紙製容器は、折り畳んだ状態で形成され、上から手で押すだけで立体的に組立てることができ、しかも立体的に組立てた紙製容器は、上面と前面に壁面が無い開放状態である。そのため、ペーストや油で周面がべたついているテイクアウト食品は紙製容器の開放状態の上面と前面から取出し易い状態で容易に収納でき、また、使用後は、簡単に折り畳んで廃棄できる等優れたものである。
【図面の簡単な説明】
【図１】本発明に係る紙製容器の展開図である。
【図２】（ａ）（ｂ）は図１の紙製容器の組立て例を説明するための斜視図である。
【図３】本発明に係る紙製容器の斜視図である。
【図４】図３の紙製容器の一部切欠き側面図である。
【図５】図３のＡ−Ａ線での断面図である。
【図６】本発明に係る第２の実施の形態の紙製容器の展開図である。
【図７】図６の紙製容器を側面から見た断面図である。
【図８】図８は本発明に係る第３の実施の形態の紙製容器の展開図である。
【図９】本発明に係る第３の実施の形態の紙製容器の斜視図である。
【符号の説明】
１，１ａ，８１  紙製シート
２，１０２  中心線
３，４，１０３，１０４  直線
１０，１０ａ，８０  紙製容器
１１，８１  第１の舌片
１２，８２  第２の舌片
１３，８３  第３の舌片
１４ａ，１４ｂ，８４ａ，８４ｂ  底壁面部
１５，１６，８５，８６  側壁面部
１７ａ，１７ｂ，１１７ａ，１１７ｂ  第１後壁
１８ａ，１８ｂ，１１８ａ，１１８ｂ  第２後壁
１９，１９ａ，８９  取手
２０，１２０  底壁
２０ａ，１２０ａ  底壁の短辺
２０ｂ，２０ｃ，１２０ｂ，１２０ｃ  底壁の長辺
２１，２２，１２１，１２２  側壁
２３，２４，１２３，１２４  第３後壁
【図１】
2004262476.tif 000003
【図２】
2004262476.tif 000004
【図３】
2004262476.tif 000005
【図４】
2004262476.tif 000006
【図５】
2004262476.tif 000007
【図６】
2004262476.tif 000008
【図７】
2004262476.tif 000009
【図８】
2004262476.tif 000010
【図９】
2004262476.tif 000011